【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
近位側端部（１２）が支持体に固定されるように構成された伸縮式のはしご（１０）であって、
前記近位側端部（１２）と遠位側端部（１６）との間に、前記はしご（１０）を伸長するために互いに変位可能である複数のはしご部分（１８）を備えており、
前記はしご（１０）の前記近位側端部（１２）の位置に配されるはしご部分（１８１）を構成する材料の比重が、前記はしご（１０）の少なくとも１つの他のはしご部分（１８）を形成する材料の比重よりも大きい、伸縮式はしご（１０）。
【請求項２】
請求項１に記載の伸縮式はしご（１０）において、前記近位側端部（１２）の位置に配されるはしご部分（１８１）以外の前記少なくとも１つの他のはしご部分（１８２，１８３，１８４）が、全体的に又は部分的に、比重が５未満の材料によって構成されている、伸縮式はしご（１０）。
【請求項３】
請求項１または２に記載の伸縮式はしご（１０）において、前記近位側端部（１２）の位置に配されるはしご部分（１８１）以外の前記少なくとも１つの他のはしご部分（１８２，１８３，１８４）が、全体的に又は部分的に、炭素繊維を含む材料によって構成されている、伸縮式はしご（１０）。
【請求項４】
請求項１から３のいずれか一項に記載の伸縮式はしご（１０）において、前記近位側端部（１２）の位置に配されるはしご部分（１８１）以外の前記少なくとも１つの他のはしご部分（１８２，１８３，１８４）が、
−２つの支柱（２２）、および
−前記支柱（２２）間に固定可能な少なくとも１つの踏み桟（２６）であって、延在方向（Ｃ）に延在し、前記踏み桟の中央部位（４０）の位置に前記延在方向（Ｃ）と直交する所定の断面を有し、さらに、前記支柱（２２）の一つとの固定面を有しており、前記固定面の面積が前記所定の断面の面積よりも大きい、少なくとも１つの踏み桟（２６）、
を含む、伸縮式はしご（１０）。
【請求項５】
請求項４に記載の伸縮式はしご（１０）において、前記支柱（２２）のそれぞれが、前記踏み桟（２６）の前記固定面を受けることが可能な側面（４２）を有しており、少なくとも１つの支柱（２２）の前記側面（４２）が、前記踏み桟（２６）の前記延在方向（Ｃ）と直交する平面に対して傾斜している、伸縮式はしご（１０）。
【請求項６】
請求項５に記載の伸縮式はしご（１０）において、前記近位側端部（１２）の位置に配されるはしご部分（１８１）以外の前記少なくとも１つの他のはしご部分（１８２，１８３，１８４）が、前記支柱（２２）間にそれぞれの延在方向（Ｃ）に沿って延在するように固定可能な複数の踏み桟（２６）を含み、少なくとも１つの支柱（２２）の固定する前記側面（４２）が、これらの踏み桟（２６）のそれぞれの前記延在方向（Ｃ）と直交する平面に対して傾斜している、伸縮式はしご（１０）。
【請求項７】
請求項４から６のいずれか一項に記載の伸縮式はしご（１０）において、前記はしご部分（１８４）の前記２つの支柱（２２）が、少なくとも１つの踏み桟（２６）の前記延在方向（Ｃ）と直交する平面に対して傾斜した側面（４２）を有している、伸縮式はしご（１０）。
【請求項８】
請求項４から７のいずれか一項に記載の伸縮式はしご（１０）において、少なくとも１つの踏み桟（２６）が、張出し形状の端部を有している、伸縮式はしご（１０）。
【請求項９】
請求項４から８のいずれか一項に記載の伸縮式はしご（１０）において、前記近位側端部（１２）の位置に配されるはしご部分（１８１）以外の前記少なくとも１つの他のはしご部分（１８２，１８３，１８４）が、さらに、
−前記２つの支柱（２２）の各々に沿ってそれぞれ延びる、２つの手摺り（２８）、および
−前記手摺り（２８）の複数の支持アーム（３０）であって、支柱（２２）と前記支柱（２２）に沿って延びる手摺り（２８）との間に固定可能な支持アーム（３０）、
を含み、支持アーム（３０）のそれぞれが別の支持アーム（３０）と一体的に接続されて形成されている、伸縮式はしご（１０）。
【請求項１０】
請求項９に記載の伸縮式はしご（１０）において、一体的に接続されて形成された２つの支持アーム（３０）が、支柱（２２）の上面（２３）に当接して固定可能なベース（３４）を有する、手摺り支持部材（３２）を形成しており、前記ベース（３４）が、前記支柱（２２）の上面（２３）を越えて延出して前記支柱（２２）の前記側面（４２）に固定可能な傾斜部位（３６）を有している、伸縮式はしご（１０）。
【請求項１１】
請求項１０に記載の伸縮式はしご（１０）において、前記手摺り支持部材（３２）の前記ベース（３４）が支柱（２２）の上面（２３）に当接し、かつ、前記踏み桟（２６）が前記手摺り支持部材（３２）に面する前記支柱（２２）の前記側面（４２）に配置された状態で、前記手摺り支持部材（３２）の前記傾斜部位（３６）が、この踏み桟（２６）の固定部位（３８）を覆うことが可能である、伸縮式はしご（１０）。
【請求項１２】
請求項１１に記載の伸縮式はしご（１０）において、前記傾斜部位（３６）、前記踏み桟（２６）のうち、前記傾斜部位（３６）によって覆われた前記固定部位（３８）、および前記支柱（２２）の前記側面（４２）が互いに固定されている、伸縮式はしご（１０）。
【請求項１３】
請求項１０から１２のいずれか一項に記載の伸縮式はしご（１０）において、前記少なくとも１つの踏み桟（２６）、および前記手摺り支持部材（３２）が、接着および／またはリベット留めで、互いに又は前記支柱に固定されている、伸縮式はしご（１０）。
【請求項１４】
請求項４から１３のいずれか一項に記載の伸縮式はしご（１０）において、前記はしご（１０）の前記遠位側端部（１６）が、前記はしご（１０）が完全に伸長された状態で現れるものであり、前記近位側端部（１２）の位置に配されるはしご部分（１８１）以外の前記少なくとも１つの他のはしご部分（１８２，１８３，１８４）が、前記はしご（１０）の前記遠位側端部（１６）の位置に配されるはしご部分（１８）となる、伸縮式はしご（１０）。
【請求項１５】
請求項１から１４のいずれか一項に記載の伸縮式はしご（１０）において、消防車両（１４）および／または救命車両用のはしごであり、前記はしご（１０）の前記近位側端部（１２）が、前記車両（１４）に固定可能であり、前記遠位側端部（１６）が、懸架かご体に固定可能である、伸縮式はしご（１０）。
【請求項１６】
請求項１から１５のいずれか一項に記載の伸縮式はしご（１０）を備える車両（１４）。
【手続補正２】
【補正対象書類名】明細書
【補正対象項目名】００３９
【補正方法】変更
【補正の内容】
【００３９】
また、遠位側端部１６の位置に配されるはしご部分（すなわち、第４のはしご部分１８４）に加えて、その一つ前のはしご部分１８（すなわち、第３のはしご部分１８３）についても、炭素繊維に基づく材料によって構成されるものとすることで、はしご１０の質量をさらに減少させることができると共に、当該はしご１０の重心を近位側端部１２にさらに近付けることができる。
なお、本発明は、実施の態様として以下の内容を含む。
［態様１］
近位側端部（１２）が支持体に固定されるように構成された伸縮式のはしご（１０）であって、
前記近位側端部（１２）と遠位側端部（１６）との間に、前記はしご（１０）を伸長するために互いに変位可能である複数のはしご部分（１８）を備えており、
前記はしご（１０）の前記近位側端部（１２）の位置に配されるはしご部分（１８１）を構成する材料の比重が、前記はしご（１０）の少なくとも１つの他のはしご部分（１８）を形成する材料の比重よりも大きい、伸縮式はしご（１０）。
［態様２］
態様１に記載の伸縮式はしご（１０）において、前記近位側端部（１２）の位置に配されるはしご部分（１８１）以外の前記少なくとも１つの他のはしご部分（１８２，１８３，１８４）が、全体的に又は部分的に、比重が５未満の材料、好ましくは比重が３未満の材料、より好ましくは比重が２未満の材料によって構成されている、伸縮式はしご（１０）。
［態様３］
態様１または２に記載の伸縮式はしご（１０）において、前記近位側端部（１２）の位置に配されるはしご部分（１８１）以外の前記少なくとも１つの他のはしご部分（１８２，１８３，１８４）が、全体的に又は部分的に、炭素繊維を含む材料によって構成されている、伸縮式はしご（１０）。
［態様４］
態様１から３のいずれか一態様に記載の伸縮式はしご（１０）において、前記近位側端部（１２）の位置に配されるはしご部分（１８１）以外の前記少なくとも１つの他のはしご部分（１８２，１８３，１８４）が、
−２つの支柱（２２）、および
−前記支柱（２２）間に固定可能な少なくとも１つの踏み桟（２６）であって、延在方向（Ｃ）に延在し、前記踏み桟の中央部位（４０）の位置に前記延在方向（Ｃ）と直交する所定の断面を有し、さらに、前記支柱（２２）の一つとの固定面を有しており、前記固定面の面積が前記所定の断面の面積よりも大きい、少なくとも１つの踏み桟（２６）、
を含む、伸縮式はしご（１０）。
［態様５］
態様４に記載の伸縮式はしご（１０）において、前記支柱（２２）のそれぞれが、前記踏み桟（２６）の前記固定面を受けることが可能な側面（４２）を有しており、少なくとも１つの支柱（２２）の前記側面（４２）が、前記踏み桟（２６）の前記延在方向（Ｃ）と直交する平面に対して傾斜している、伸縮式はしご（１０）。
［態様６］
態様５に記載の伸縮式はしご（１０）において、前記近位側端部（１２）の位置に配されるはしご部分（１８１）以外の前記少なくとも１つの他のはしご部分（１８２，１８３，１８４）が、前記支柱（２２）間にそれぞれの延在方向（Ｃ）に沿って延在するように固定可能な複数の踏み桟（２６）を含み、少なくとも１つの支柱（２２）の固定する前記側面（４２）が、これらの踏み桟（２６）のそれぞれの前記延在方向（Ｃ）と直交する平面に対して傾斜している、伸縮式はしご（１０）。
［態様７］
態様４から６のいずれか一態様に記載の伸縮式はしご（１０）において、前記はしご部分（１８４）の前記２つの支柱（２２）が、少なくとも１つの踏み桟（２６）の前記延在方向（Ｃ）、好ましくは前記踏み桟（２６）のそれぞれの前記延在方向（Ｃ）と直交する平面に対して傾斜した側面（４２）を有している、伸縮式はしご（１０）。
［態様８］
態様４から７のいずれか一態様に記載の伸縮式はしご（１０）において、少なくとも１つの踏み桟（２６）が、張出し形状の端部を有している、伸縮式はしご（１０）。
［態様９］
態様４から８のいずれか一態様に記載の伸縮式はしご（１０）において、前記近位側端部（１２）の位置に配されるはしご部分（１８１）以外の前記少なくとも１つの他のはしご部分（１８２，１８３，１８４）が、さらに、
−前記２つの支柱（２２）の各々に沿ってそれぞれ延びる、２つの手摺り（２８）、および
−前記手摺り（２８）の複数の支持アーム（３０）であって、支柱（２２）と前記支柱（２２）に沿って延びる手摺り（２８）との間に固定可能な支持アーム（３０）、
を含み、支持アーム（３０）のそれぞれが別の支持アーム（３０）と一体的に接続されて形成されている、伸縮式はしご（１０）。
［態様１０］
態様９に記載の伸縮式はしご（１０）において、一体的に接続されて形成された２つの支持アーム（３０）が、支柱（２２）の上面（２３）に当接して固定可能なベース（３４）を有する、手摺り支持部材（３２）を形成しており、前記ベース（３４）が、前記支柱（２２）の上面（２３）を越えて延出して前記支柱（２２）の前記側面（４２）に固定可能な傾斜部位（３６）を有している、伸縮式はしご（１０）。
［態様１１］
態様１０に記載の伸縮式はしご（１０）において、前記手摺り支持部材（３２）の前記ベース（３４）が支柱（２２）の上面（２３）に当接し、かつ、前記踏み桟（２６）が前記手摺り支持部材（３２）に面する前記支柱（２２）の前記側面（４２）に配置された状態で、前記手摺り支持部材（３２）の前記傾斜部位（３６）が、この踏み桟（２６）の固定部位（３８）を覆うことが可能である、伸縮式はしご（１０）。
［態様１２］
態様１１に記載の伸縮式はしご（１０）において、前記傾斜部位（３６）、前記踏み桟（２６）のうち、前記傾斜部位（３６）によって覆われた前記固定部位（３８）、および前記支柱（２２）の前記側面（４２）が、好ましくはリベット留めにより、互いに固定されている、伸縮式はしご（１０）。
［態様１３］
態様４から１２のいずれか一態様に記載の伸縮式はしご（１０）において、前記少なくとも１つの踏み桟（２６）、および任意で前記手摺り支持部材（３２）が、接着および／またはリベット留めで、互いに又は前記支柱に固定されている、伸縮式はしご（１０）。
［態様１４］
態様４から１３のいずれか一態様に記載の伸縮式はしご（１０）において、前記はしご（１０）の前記遠位側端部（１６）が、前記はしご（１０）が完全に伸長された状態で現れるものであり、前記近位側端部（１２）の位置に配されるはしご部分（１８１）以外の前記少なくとも１つの他のはしご部分（１８２，１８３，１８４）が、前記はしご（１０）の前記遠位側端部（１６）の位置に配されるはしご部分（１８）となる、伸縮式はしご（１０）。
［態様１５］
態様１から１４のいずれか一態様に記載の伸縮式はしご（１０）において、消防車両（１４）および／または救命車両用のはしごであり、前記はしご（１０）の前記近位側端部（１２）が、前記車両（１４）に固定可能であり、前記遠位側端部（１６）が、懸架かご体に固定可能である、伸縮式はしご（１０）。
［態様１６］
態様１から１５のいずれか一態様に記載の伸縮式はしご（１０）を備える車両（１４）。